(57)【特許請求の範囲】
【請求項１】
車両の後方を撮影するリアカメラと、
前記リアカメラの撮影画像を表示するモニタと、
自車両が縦列駐車する時に後方に存在する車両が、当該車両と自車両との間隔を用いて縦列駐車位置から発車することができる間隔に対応したモニタの位置に、縦列駐車後方案内マークを表示する縦列駐車後方案内マーク表示処理部とを備えたことを特徴とする縦列駐車案内装置。
【請求項２】
前記リアカメラの撮影画像により後方に存在する車両の車種を認識する後方車両車種認識部を備え、
前記縦列駐車後方案内マーク表示処理部は、前記後方車両車種認識部で認識した後方車両の車種に対応して、その車種の車両データによって縦列駐車後方案内マークの表示位置を決定することを特徴とする請求項１記載の縦列駐車案内装置。
【請求項３】
前記縦列駐車後方案内マーク表示処理部は、通常の大部分の車両が、当該車両と自車両との間隔を用いて縦列駐車位置から発車することができる間隔に対応したモニタの位置に、縦列駐車後方案内マークを表示することを特徴とする請求項１記載の縦列駐車案内装置。
【請求項４】
前記リアカメラの撮影画像により後方に存在する車両のナンバーを認識する後方車両ナンバー認識部と、
前記後方車両ナンバー認識部で認識した後方車両のナンバーを記憶する後方車両ナンバー記憶部と、
前記後方車両ナンバー記憶部に記憶したナンバーを読み込んで出力する縦列駐車後方車両ナンバー読込出力部とを備えたことを特徴とする請求項１記載の縦列駐車案内装置。
【発明の詳細な説明】
【技術分野】
【０００１】
本発明は車両が縦列駐車を行う際、車両に取り付けた車外を撮影するカメラの画像を利用して、後方の車両が自車両に影響されずに確実に発車でき、また自車両が前方の車両等の障害物に影響されずに確実に発車できるようにした縦列駐車案内装置に関する。
【背景技術】
【０００２】
車両が駐車する際、駐車する車両が互いに横に並んで駐車する方式以外に、例えば駐車が許可されている道路の路側部分に１列で駐車する等の縦列駐車も存在する。この縦列駐車に際しては、基本的に図１３に示すように行う。即ち、同図（ａ）の自車１が前方車両２と後方車両３との間に駐車しようとする時、最初前方車両２と所定間隔でほぼ平行に停車した状態の位置Ａから駐車位置に向けて後退し、位置Ｂを経て位置Ｃに至る第１後退態様をたどる。次いで同図（ｂ）に示す前記位置Ｃから自車両の最小回転半径Ｒで点Ｏを中心に回転移動することにより、位置Ｄ、Ｅを経て位置Ｆにおいて縦列駐車ライン上に至る。その後同図（ｃ）の位置Ｆにおいて前方車両２との間隔ｆ、及び後方車両３との間隔ｂが適切になるように前後方向位置の調節を行い、一連の駐車操作を終了する。
【０００３】
上記のような縦列駐車を行う時、最終的に図１３（ｃ）における前方車両２との間隔ｆについては、その後この駐車中の状態から発車する時、同図の（ｂ）から（ｃ）の順で前記と逆の操作によって発車しようとする際、できる限り後退せずにそのまま発車できる間隔ｆが存在することが好ましい。特に、縦列駐車後に後方に他の車両がほとんど車間距離を取らずに駐車してしまい、後退して前方車両との間隔を充分取ってから発車しようとしてもできない状態になっても、自車両が前方車両等に接触せずに安全に発車できる間隔ｆが存在することが好ましい。更に、前方車両が発車しようとする時、その前方車両の更に前方の車両がほとんど間隔を取らずに駐車してしまった時に、前方車両が自車両側に後退して発車できる間隔ｆが存在することが好ましい。
【０００４】
一方、後方車両３との間隔ｂについては、自車両が前記のような縦列駐車中に後方車両３が発車しようとする際、できる限りその車が後退せずにそのまま発車できる間隔ｂが存在することが好ましく、特に後方車両の後に他の車両がほとんど間隔を取らずに駐車してしまい、後退しようとしてもできない場合でも発車できる間隔ｂが存在することが好ましい。更に、自車両が縦列駐車後に前方に他車がほとんど間隔を取らずに駐車してしまった場合でも、自車両がバックしてから発車できる間隔ｂが存在することが好ましい。
【０００５】
前方車両２との間隔ｆが充分に存在せず、且つ後方車両との間隔もほとんど無い時でも、前進と後退の繰り返しによって切り返し操作を行ってこの駐車領域から脱出することは理論的には可能である。しかしながらその操作には多くの困難を伴うとがあり、前方或いは後方の車両に接触せずに発車することが極めて困難な場合がある。
【０００６】
なお、縦列駐車に際して所定の位置に縦列駐車を行うことができるように、車両の後方を撮影するカメラの画像を表示するモニタに、車両が進むべき方向を示すマーカーを表示する技術は特公平２−３６４１７号公報（特許文献１）に開示されている。
【先行技術文献】
【特許文献】
【０００７】
【特許文献１】特開平２−３６４１７号公報
【発明の概要】
【発明が解決しようとする課題】
【０００８】
縦列駐車は基本的には前記のように行われ、最終的に図１３（ｃ）に示すように駐車を行うこととなるが、その後自車両が円滑に発車できるために、また前方車両が後退して発車できるためにも前方車両等の障害物との間に所定の間隔ｆが存在することが好ましく、更に後方車両３との間には、後方車両が円滑に発車できるために、また自車両が後退して発車できるためにも所定の間隔ｂが存在することが好ましい。
【０００９】
それに対して前記特許文献に記載されている技術では、縦列駐車を行う位置に誘導することはできても、上記のような前方車両２との間隔ｆ、及び後方車両との間隔ｂを適切に維持することはできない。また、例えば後方を撮影するリアカメラの撮影画像をモニタで見ても、実際の距離感をつかむことができず、一旦車両を降りて実際に見て確かめざるを得なくなる。
【００１０】
更に、前方車両との間隔は運転者の目でほぼ把握することはできるが、実際に縦列駐車から発車する時に必要となる間隔は、縦列駐車に慣れていない人にとっては的確に把握することができない。特に運転者が小柄な人である時には目の位置が低くなり、前方車両との間隔を的確に把握することができない傾向がある。そのため、縦列駐車中に運転者に対して前記のような間隔が適切であるか否かを確実に判断することができる案内が必要であり、それもできる限り運転者の判断に頼ることなく適切な案内を行うことができる装置の開発が望まれている。
【００１１】
したがって本発明は、縦列駐車を行うに際して、最終的に後方車両が自車両の存在に関わらず円滑に発車することができ、また自車両が発車するに際して、前方車両等の障害物が存在しても円滑に発車できるように、自車両の前後の間隔を適切に且つ容易に維持することができる縦列駐車案内を行うことができる縦列駐車案内装置を提供することを主たる目的とする。
【課題を解決するための手段】
【００１２】
本発明に係る縦列駐車案内装置は、前記課題を解決するため、車両の後方を撮影するリアカメラと、前記リアカメラの撮影画像を表示するモニタと、自車両が縦列駐車する時に後方に存在する車両が、当該車両と自車両との間隔を用いて縦列駐車位置から発車することができる間隔に対応したモニタの位置に、縦列駐車後方案内マークを表示する縦列駐車後方案内マーク表示処理部とを備えたことを特徴とする。
【００１３】
本発明に係る他の縦列駐車案内装置は、前記縦列駐車案内装置において、前記リアカメラの撮影画像により後方に存在する車両の車種を認識する後方車両車種認識部を備え、前記縦列駐車後方案内マーク表示処理部は、前記後方車両車種認識部で認識した後方車両の車種に対応して、その車種の車両データによって縦列駐車後方案内マークの表示位置を決定することを特徴とする。
【００１４】
本発明に係る他の縦列駐車案内装置は、前記縦列駐車案内装置において、前記縦列駐車後方案内マーク表示処理部は、通常の大部分の車両が、当該車両と自車両との間隔を用いて縦列駐車位置から発車することができる間隔に対応したモニタの位置に、縦列駐車後方案内マークを表示することを特徴とする。
【００１５】
本発明に係る他の縦列駐車案内装置は、前記縦列駐車案内装置において、前記リアカメラの撮影画像により後方に存在する車両のナンバーを認識する後方車両ナンバー認識部と、前記後方車両ナンバー認識部で認識した後方車両のナンバーを記憶する後方車両ナンバー記憶部と、前記後方車両ナンバー記憶部に記憶したナンバーを読み込んで出力する縦列駐車後方車両ナンバー読込出力部とを備えたことを特徴とする。
【発明の効果】
【００１９】
本発明は上記のように構成したので、縦列駐車を行うに際して、最終的に後方車両が自車両の存在に関わらず円滑に発車することができ、また自車両が発車するに際して、前方車両等の障害物が存在しても円滑に発車できるように、自車両の前後の間隔を適切に且つ容易に維持することができるようになる。
【図面の簡単な説明】
【００２０】
【図１】本発明の実施例の機能ブロック図である。
【図２】本発明の実施例において、縦列駐車案内処理の全体の作動を示す作動フロー図である。
【図３】同実施例において、フロントカメラ撮影画像による前方障害物との間隔確保処理を行う作動フロー図である。
【図４】同実施例において、縦列駐車駐車両の発車時確認処理を行う作動フロー図である。
【図５】同実施例において、縦列駐車時と現在とで前方或いは後方の車両が異なっているかの自動認識処理を行う作動フロー図である。
【図６】同実施例において、縦列駐車中車両の発車時確認処理の他の作動を示す作動フロー図である。
【図７】縦列駐車からの発車態様の基本形を示す図である。
【図８】縦列駐車からの発車態様における車両の各種データと駐車スペースからの脱出に必要な各種距離の関係を示す図である。
【図９】モニタに表示する縦列駐車後方案内マークと、モニタに表示される後方車両の関係を示す図、及びその説明図、並びに後方車両のナンバーを認識する説明図である。
【図１０】モニタに表示する縦列駐車前方案内マークと、モニタに表示される前方車両の関係を示す図、及びその説明図、並びに後方車両のナンバーを認識する説明図である。
【図１１】縦列駐車後方案内補助マーク、及び縦列駐車前方案内補助マークの表示例を示す図である。
【図１２】車両認識処理の態様を示す図である。
【図１３】縦列駐車の基本形を示す図である。
【発明を実施するための形態】
【実施例】
【００２１】
本発明の実施例を図面に沿って説明する。図１は本発明を各種の態様で実施することができるようにした機能ブロック図であり、図示の例では自車両１が前方車両２と後方車両３の間に縦列駐車している状態を示し、この自車両１には前方を撮影するカメラであるフロントカメラ４と、後方を撮影するカメラであるリアカメラ５とを取り付けた例を示している。このフロントカメラ４で撮影した画像は、前方障害物検出部６に入力して、自車両の前方に他の車両等の障害物が存在するとき、これを検出する。この前方障害物検出部６においては、自車両がその障害物に接触することなく縦列駐車状態から発車できる為の検出を行うものであるため、図示するような車両に限らず、縁石や塀等の障害物を検出することが主目的となる。
【００２２】
前方酒害物検出部６には前方車両ナンバー認識部７を備え、フロントカメラ４の撮影画像で、縦列駐車を行った時に自車両の前方に他の車両である前方車両が存在することを検出した際に、例えば図１０（ｄ）に示すように、その車両のナンバープレートの文字や数字を認識することにより、前方車両のナンバーを認識する。なお、図１０（ｄ）の例においては車両のナンバーをＡＢＣとして示している。
【００２３】
前方車両ナンバー認識部７による前記認識結果は前方車両ナンバー記憶部８に記憶し、その後縦列駐車駐車中の自車両が発車する時に、本発明の機能によって前方の車両と所定の間隔を維持した状態で駐車したにもかかわらず、その後前方車両２が他の車両に変わった時に前記所定の間隔より狭くなってしまい、それに気がつかずに発車して前方車両に接触する事がないようにするために、そのナンバープレートを認識し記憶したデータを利用する。
【００２４】
前方撮影画像内縦列駐車前方案内マーク表示処理部１０においては、自車両１の前方を撮影するフロントカメラ４の撮影画像を表示するモニタ中に、例えば図１０（ａ）〜（ｃ）に示すような、前方車両等の障害物との間隔の目安となる縦列駐車前方案内マークＭＦを表示する処理を行う。
【００２５】
そのため図１に示す例においては、前方撮影画像内縦列駐車前方案内マーク表示処理部１０に自車両データ記憶部１１を備え、本発明による縦列駐車案内装置を搭載する自車両の最小回転半径のデータ等の車両データを別途入力し、ここに記憶しておく例を示している。縦列駐車前方案内マーク表示部１２においては、前記自車両データ記憶部１１に記憶しているデータを用い、前記図１０（ａ）〜（ｃ）に示すような縦列駐車前方案内マークＭＦを表示する。その際には例えば図８に示すように、縦列駐車中の自車両１が最小の前進によってその駐車領域から抜け出すためには、駐車中の状態から前車輪である操舵輪を最大回転操舵した状態で前進する時、車両に予め設定してある最小回転半径Ｒで回転しながら前進することとなる。このことは前記図１３に示す縦列駐車基本形において、同図（ｂ）の縦列駐車最小回転半径Ｒによる第２後退態様として示している車両の移動態様を逆に移動させた状態となる。
【００２６】
図８の縦列駐車中の車両がその駐車領域から抜け出す説明図に示すように、車両が最小回転半径で回転する時、その車両が前方の車両等に接触しないようにするためには、その車両の前端縁Ｐの軌跡内に物体が存在しないようにする必要がある。このときの前端縁Ｐの軌跡は前記最小回転半径Ｒの中心である点Ｏを中心とする、前端回転半径ｒの軌跡である最小回転前端縁円弧Ｋとなるため、従来から各車両について公表されている車体データが存在すると、この最小回転前端縁円弧Ｋを求めることができる。
【００２７】
その際には車体データとして存在するホイルベースＬ１、車体の全幅Ｗ１、前端突出長Ｌ３、最小回転半径Ｒのデータにより、最小回転前端縁円弧Ｋをほぼ正確に求めることができ、その軌跡において前方車両２で最も障害になる点である後端縁Ｑとの間隔である脱出安全スペースＳ４を、例えば３０ｃｍ等の所定の安全間隔になるように、必要前方車間距離Ｓ１として設定する。なお、脱出安全スペースＳ４を考慮しない時には、図示するように絶対必要車間距離Ｓ２となる。また、前記脱出安全スペースＳ４が形成される状態の車両位置以降は、図８の二重線矢印に示すような運転操作によって容易に移動することができる。
【００２８】
なお、図８において前端縁Ｐが後輪の軸線である基準線Ｓに対して回転初期角θ１の位置に存在する時、この縦列駐車領域を脱出するための脱出初動回転角θ２として示し、また、前記必要前方車間距離Ｓ１と絶対必要車間距離Ｓ２との差を余裕車間距離Ｓ３として示し、また、後輪と車体後端との長さを後端突出長Ｌ４として示し、また、車輪間隔であるトレッドをＷ２として示しており、必要に応じてこれらの車体データ及び設定データを用いることにより、必要に応じて更に種々の計算を行うことができる。
【００２９】
図１の前方撮影画像内縦列駐車前方案内マーク表示処理部１０における縦列駐車前方案内マーク表示部１２においては、自車両データ記憶部１１に記憶している前記各種のデータを用いることにより、縦列駐車を行った時に前方車両２等の障害物との任意の安全スペースを考慮した距離を演算し、その時の必要前方車間距離Ｓ１に相当するモニタ内の位置に、図１０（ａ）〜（ｃ）に示すような縦列駐車前方案内マークＭＦを表示することができる。  
【００３０】
このときの縦列駐車前方案内マークＭFの表示位置は、この縦列駐車案内装置が搭載される車両に固有のものであり、したがってこの縦列駐車案内装置が車両工場で装備される時には、自車両データ記憶部１１を特に必要とせず、別途演算したデータに基づいて縦列駐車前方案内マーク表示部１２が常にモニタ内の所定の位置に表示するようにしても良い。
【００３１】
それに対してこの縦列駐車案内装置を別途各種の車両に取り付ける態様の製品の時には、取り付ける車両に対応したデータを自車両データ記憶部１１に入力して記憶することにより、縦列駐車前方案内マーク表示部１３が前記演算を行い、縦列駐車前方案内マークＭＦを表示し、以降はこのデータを記憶しておくことにより、この縦列駐車案内装置を取り付ける車両が変更するまで、特に表示のための演算を行うことなく、同じ位置にマークを表示することができる。
【００３２】
図１の例においては、前方撮影画像内縦列駐車前方案内マーク表示処理部１０に縦列駐車前方案内補助マーク表示部１３を備えた例を示しており、前記のような自車両の最小回転半径のデータを主として演算し得られる縦列駐車前方案内マークＭＦ以外に、例えば図１１（ｂ）に縦列駐車前方案内補助マークＭＦ’として示すような、更に自車両から離れた位置に対応した幾分か余裕をもった位置に、縦列駐車前方案内補助マークを表示する例を示している。
【００３３】
この補助マークは縦列駐車を行う場所が比較的駐車車両が少なく、運転者が充分縦列駐車のスペースに余裕があると判断し、前記のような厳密な縦列駐車を行う事は不自然であると感じる時、この縦列駐車前方案内補助マークＭＦ’の位置を目安として、前方車両等の障害物がこのマークの位置に存在するとき、前方障害物とはあまり離れてはおらず、ほぼ適切な駐車位置であることを容易にわかるようにしている。
【００３４】
前記のように前方撮影画像内縦列駐車前方案内マーク表示処理部１０における縦列駐車前方案内マーク表示部１２で、例えば図１０（ａ）〜（ｃ）のような縦列駐車前方案内マークＭＦをモニタ中に表示することにより、運転者は同図（ａ）のように表示されている前方車両２の位置では、前方車両２との間隔が開きすぎていると判断し、自車両を前進させる。その後同図（ｂ）のように、前方車両２の後端位置に対応する前方車両２の画像の下端部分が、縦列駐車前方案内マークＭＦとほぼ重なった時、適切な位置であると運転者が判断し、ここを駐車位置とする。
【００３５】
それに対して図１０（ｃ）のように、前方車両２が縦列駐車前方案内マークＭＦよりも手前に位置する時、即ち前方車両２の後端位置に対応する前方車両２の画像の下端部分が、縦列駐車前方案内マークＭＦより内側に大きく進入している時には、運転者はこれでは自車両がもしも後退できない状態の場合は駐車位置から脱出することは極めて困難であると判断し、同図（ｂ）のように前方車両２の一部が縦列駐車前方案内マークＭＦに重なる迄後退する。
【００３６】
図１の縦列駐車前方案内補助マーク表示部１３で図１１（ｂ）に示すような縦列駐車前方案内補助マークＭＦ’を表示する時には、前記図１０に示す態様とほぼ同様にこの縦列駐車前方案内補助マークＭＦ’を用い、運転者は充分余裕を持った前方車両２との間隔で、しかもあまりにも前方車両２と離れていない適切な位置に縦列駐車を行うことができる。
【００３７】
図１に示す例においては、前記のような縦列駐車前方案内マークＭＦの表示によって、運転者がモニタを見ながら前方車両との間隔を判断し、車両の前進或いは後退を行う以外に、自動的に前方車両との間隔が狭すぎる警告を出力することができるように、前方障害物が縦列駐車前方案内マーク内に進入することを検出するための、前方障害物縦列駐車前方案内マーク内進入検出処理部１４を備えている。即ち、図１の前方障害物縦列駐車前方案内マーク内進入検出処理部１４には、前方障害物縦列駐車前方案内マーク内進入量検出部１５を備え、例えば図１０（ｃ）のように前方車両２の後端位置に対応する前方車両の画像の下端部分を認識し、この部分が縦列駐車前方案内マークＭＦより手前側に進入した量ＴＦを測定する。
【００３８】
また、図１の前方障害物縦列駐車前方案内補助マーク内進入検出部１６では、同様に前記図１１（ｂ）に示すような前方障害物縦列駐車前方案内補助マークＭＦ’より手前に前方車両１が進入したとき、その進入量を測定する。これらの進入量の測定によって、所定以上進入したことを検出した時には、前方障害物近接警告部１７により運転者に警告表示、警告音声或いはブザー等で警告を出力する。なお、その警告に際しては、予め運転者等により縦列駐車前方案内マークＭＦを用いるか、或いは縦列駐車前方案内補助マークＭＦ’を用いるかを選択しておき、いずれかの検出によって警告出力を行うようにする。
【００３９】
なお、本発明は後述するようにリアカメラ５の撮影画像によって、後方車両と適切な間隔で駐車できるようにし、後方車両が容易に発車できるように、また万が一自車両の駐車後に前方に近接して他の車両が停止してしまった時でも、後方の適切な間隔を利用して、一旦後退した後縦列駐車領域を出る運転操作を行うことができるので、前記フロントカメラ４を用いた前記処理は、リアカメラ５を用いた後述する処理に対しては、従たる処理となり、コストの面等から必要とされない場合もあり得る。
【００４０】
図１のリアカメラ５による自車両の後方の撮影画像についても、前記フロントカメラ４の撮影画像を用いた各種処理と同様の処理を行うが、ここでは特に自車両の縦列駐車に際して、主目的として後方車両が無理なく縦列駐車から発車できるようにするための処理を行う点において、前記フロントカメラの撮影画像を用いた各種処理が、特に自車両が無理なく縦列駐車から発車できるようにするための処理を行うことを主目的としている点で大きく異なっている。
【００４１】
即ち、リアカメラ５の撮影画像を入力する撮影画像後方障害物検出部２１には後方車両車種認識部２２を備え、縦列駐車の最終段階で図１３（ｃ）のように後方車両３との間隔ｂを調節するための移動を行う時、リアカメラの撮影画像における広角の撮影領域の画像を利用し、後方車両の全体形状、或いは黄色ナンバープレート等を認識し、例えば図１２に示すように後方車両の車種を認識する。このような車種の認識により、それぞれの車種毎の平均的な最小回転半径を初めとする各種の車両データを用い、後方車両が無理なく縦列駐車から発車することができる車間距離を維持して縦列駐車を行うようにする。
【００４２】
図１２に示す車種認識態様の例においては、同図（ａ）では特にナンバープレートの色が黄色であるか否かを認識し、黄色である時には軽自動車であると判断する。同図（ｂ）では車両外形が横長であることにより、この第１形状の車種はセダンであることが認識され、同図（ｃ）では車両の外形が正方形に近いことにより、この第２形状の車種はＳＵＶ車であることが認識される。
【００４３】
また同図（ｄ）では車両の外形が縦長の矩形であることにより、この第３形状の車種はミニバン系統の車種であることが認識される。更に同図（ｅ）では車両の外形が正方形或いは縦長の長方形であり、自車両との間隔の割に特に大きな車体であることを認識するとともに、車両上方の行き先表示部等によって、この第４形状はバスであることを認識する。同図（ｆ）では車両の外形がほぼ正方形から縦長の長方形であり、同様に大きな車体であるものの行き先表示部が無いことと等を認識し、この第５形状はトラックであることが認識される。
【００４４】
後方障害物検出部２１には後方車両ナンバー認識部２３を備え、前記前方車両ナンバー認識部７と同様に、後方車両３のナンバープレートの画像部分からナンバーを認識する。その認識結果は後方車両ナンバー記憶部２４に記憶しておく。後方撮影画像内縦列駐車後方案内マーク表示処理部２５では、車種別データ記憶部２６において、前記後方車両車種認識部２２で図１２のようにして認識した車種に応じて、最小回転半径を含む各種の車両の長さや幅等の車両データを記憶しておく。
【００４５】
このとき記憶するデータは、前記自車両データ記憶部１１に記憶する車両のデータとほぼ同様の各種データについて車種毎に記憶する。この車種毎のデータについて、例えば最小回転半径Ｒは、数年間の間に生産された各車種に含まれる車両のデータを用いて、予め平均値を得ることにより、そのデータを車種別最小回転半径データとして記憶部に入力し記憶しておく。図１２の例においては、同図の（ａ）〜（ｆ）の車種に応じて、例えば最小回転半径Ｒとして、Ｒ＝ａ〜ｆのデータが存在することを示している。
【００４６】
後方撮影画像内縦列駐車後方案内マーク表示処理部２５における車種別縦列駐車後方案内マーク表示部２７では、前記縦列駐車前方案内マーク表示部１２と同様に、例えば図９（ａ）〜（ｃ）のような縦列駐車後方案内マークＭＢを表示する処理を行う。その処理に際しては、前記縦列駐車前方案内マークＭＦの表示に際しては自車両が一旦後退することなく前進のみで容易に縦列駐車状態から容易に発車することができるようにする案内マークであるのに対して、縦列駐車後方案内マークＭＢについては第１に、後方車両が縦列駐車中から容易に発車することができるようにする点で異なっている。
【００４７】
そのため、車種別縦列駐車後方案内マーク表示部２７では、前記のような後方車両の車種を認識し、その車種に対応した最小回転半径データを含む車両の各種データを車種別データ記憶部２６から読み込み、後方車両が容易に縦列駐車から発車するための距離を演算し、その距離に対応した位置に縦列駐車後方案内マークＭＢをモニタ内に表示する。その距離は前記縦列駐車前方案内マーク表示部１２と同様の手法で、図８と同様の演算手法によって、後方車両の車種に応じた適切な位置に縦列駐車後方案内マークＭＢを表示することができる。
【００４８】
図１に示す例においては、後方撮影画像内縦列駐車後方案内マーク表示処理部２５に縦列駐車後方案内補助マーク表示部２８を備え、前記縦列駐車前方案内補助マーク表示部１３と同様に、図１１（ａ）に示すような縦列駐車後方案内マークＭＢよりも自車両から所定距離遠い位置に、縦列駐車後方案内補助マークＭＢ’を表示する。この表示は前記縦列駐車前方案内補助マーク表示部１３と同様の趣旨で表示するものであり、比較的駐車領域の車両が少ない時にこれを選択して表示し、その案内表示を目安にして、後方車両との自然な車間距離が得られるように駐車する。したがってこの補助マークの表示に際しては、後方車両の車種に関わらず所定の距離に設定しても良い。
【００４９】
前記縦列駐車後方案内補助マークＭＦ’は、上記趣旨以外に、縦列駐車後方案内マークが前記のように車種毎の最小回転半径等の車両データの平均値によって、モニタ内での表示位置を変化させるのに対して、そのような車種毎の値を用いることなく、現在生産され、通常一般的に使用されている車両、車種について、ほとんどの車両に対して適用できる値である最大値を設定し、その最大値の車両でも縦列駐車から発車できる位置に縦列駐車後方案内補助マークを表示しても良い。その際には、前記縦列駐車後方案内マークＭＦに替えてこの縦列駐車後方案内補助マークＭＦ’を表示し、或いは上記最大位置に設定した縦列駐車後方案内マークＭＦを表示する等、種々の態様で実施することができる。
【００５０】
モニタに表示された縦列駐車後方案内マークを利用する例を図９に示しており、同図（ａ）では後方車両３との間が広すぎることわかり、運転者はこれを見て後退し、同図（ｂ）のように後方車両３の画像の前端位置に対応する後方車両の画像の下端部分が、縦列駐車後方案内マークＭＢと一部が重なる時、後退を停止する。また、同図（ｃ）のように後方車両３の画像の下端部分が、縦列駐車後方案内マークＭＢよりも下の部分に存在する時、即ち、縦列駐車後方案内マークＭＦの手前側に進入している時、運転者は同図（ｂ）の画像となる位置まで車両を前進させる。
【００５１】
上記後方撮影画像内縦列駐車後方案内マーク表示処理部２５の処理により、縦列駐車後方案内マークを表示することによって、運転者はこのマークを目安に縦列駐車の最終段階で前進及び後退を行うことによって、後方車両との適切な車間距離を維持することができるものであるが、図１に示す例においては更に、後方車両との車間距離が適切ではないことを警告することができるようにした例を示している。
【００５２】
即ち、図１の例では後方の車両が縦列駐車後方案内マーク内に進入したことを検出する、後方車両縦列駐車後方案内マーク内進入検出処理部２９を備え、前記前方障害物縦列駐車前方案内マーク内進入検出処理部１４と同様の処理を行う。図２の後方車両縦列駐車後方案内マーク内進入検出処理部２９には、後方車両縦列駐車後方案内マーク内進入量検出部３０を備え、前記前方障害物縦列駐車前方案内マーク内進入量検出部１５と同様の処理を行う。
【００５３】
また、後方車両縦列駐車後方案内補助マーク内進入検出部３１では、前記前方障害物縦列駐車前方案内補助マーク内進入検出部１６と同様の処理を行う。後方車両近接警告部３２においては、前記前方障害物近接警告部１７と同様の処理を行うものであり、例えば図９（ｃ）のように後方車両３の画像の下端部分が、縦列駐車後方案内マークＭＢよりも所定量以上下方であるＴＢだけ下方に存在する時、これを検出して警告を発する。
【００５４】
縦列駐車中車両発車時確認処理部３５においては、前記のような処理によって所定の縦列駐車を行った後、この縦列駐車中の状態から車両を発車する時、実際に円滑に発車できる状態にあるか否かを確認する処理を行う。図１の縦列駐車中車両発車時確認処理部３５には、縦列駐車時前後車両ナンバー読込出力部３６を備え、特に前方車両ナンバー記憶部８のデータと、後方車両ナンバー記憶部２４のデータとを読み込み、モニタにそのナンバーを表示する等の出力を行う。それにより運転者は縦列駐車からの発車時にフロントカメラ４の画像を取り込んでナンバーを認識し、或いは運転者が前方車両のナンバーを視認することによって、現在の前方車両と前記所定の縦列駐車を行った時の前方車両とが一致するか否かを判断する。
【００５５】
ここで特に前方車両が異なっていると判断した時には、この縦列駐車案内装置によって駐車した時の機能は実質的に解除されてしまっているものとして、通常の状態と同様に十分注意しながら縦列駐車領域からの脱出のための運転操作を行うこととなる。また、車両が同じである時には、前方車両とは自車両が余裕をもって縦列駐車領域から脱出することができることがわかるので、後退することなく、または必要に応じて適宜後退し、安心して発車することができる。
【００５６】
また、前記のように前方車両が縦列駐車時と同じ時には、特に後方車両が縦列駐車時と同じであるか否かは問題とならないが、もしも異なる時には、一旦後退してから縦列駐車領域から脱出しなければならない場合が存在するので、もしも後方車両が縦列駐車時と同じ時には、後方車両との間に充分な距離が存在することがわかっているので、安心して後退し、発車操作を行うことができる。
【００５７】
図１に示す例においては縦列駐車中前後車両変更警告部３７を備え、前記縦列駐車時前後車両ナンバー読込出力部３６で読み込んだ縦列駐車時の前後車両のナンバーが、現在のフロントカメラの画像によって認識された前方車両ナンバーと一致するか否か、また、現在のリアカメラの画像によって認識された後方車両ナンバーと一致するか否かを判断し、異なっている時は前方、或いは後方、更には両方の車両が縦列駐車時と異なっている旨の警告出力を行うようにしている。
【００５８】
図１に示す縦列駐車中発車時確認処理部３５には、縦列駐車中発車時前方障害物間隔検出部３８を備えており、縦列駐車中から発車する時、フロントカメラ４の画像によって、自車両の前方の所定距離の範囲に他の車両等の障害物が存在するか否かを判別する。このときの所定距離としては前記縦列駐車後方案内マークＭＦの表示位置と同じにすることができるが、安全のためにそれよりも離れた距離に設定しても良い。また、前方障害物との間隔の検出に際しては、撮影画像自体によって検出することもできるが、モニタに表示された障害物のモニタ上の位置によっても、更に縦列駐車後方案内マークＭＦとの位置関係によっても検出することができる。
【００５９】
縦列駐車中発車時前方障害物近接警告部３９では、前記縦列駐車中発車時前方障害物間隔検出部３８で検出した前方障害物との距離が所定距離以内である時、そのまま出発すると障害物と接触する危険性があることを、モニタへの表示、音声による案内、ビープ音等で警告する出力を行う。
【００６０】
なお、縦列駐車時前後車両ナンバー読込出力部３６、更には縦列駐車中前後車両変更警告部３７を備える時は、縦列駐車中発車時前方障害物間隔検出部３８、更には縦列駐車中発車時前方障害物近接警告部３９を用いなくても良く、逆に縦列駐車中発車時前方障害物間隔検出部３８、更には縦列駐車中発車時前方障害物近接警告部３９を備える時には、縦列駐車時前後車両ナンバー読込出力部３６、更には縦列駐車中前後車両変更警告部３７を備えなくても良い。但し、これらを全て備え、必要に応じて使用を切り替え、或いは両方同時に用いるようにしても良い。
【００６１】
図１に示すような本発明を各種の態様で実施する縦列駐車案内装置においては、例えば図２に示す作動フローにより順に作動させることにより種々の態様で実施することができる。図２に示す縦列駐車案内処理の例においては、最初縦列駐車のために車両を後退させると（ステップＳ１）、リアカメラが作動し（ステップＳ２）、その撮影画像により車両の後方に縦列駐車中の他車が存在するか否かの判別を行う（ステップＳ３）。
【００６２】
ここでリアカメラの撮影画像中には縦列駐車中の車両が存在しないと判断した時には、この縦列駐車において前後の車両の間隔を調整する操作段階に至ったか否かを判別する。なお、図２に示す例では車両後退時に常に以降の縦列駐車案内処理を行うようにした例を示しているが、別途運転者が縦列駐車案内指示を行うことにより、この縦列駐車案内処理を開始するように設定しても良い。
【００６３】
即ち、縦列駐車は前記のように、基本的には図１３（ａ）〜（ｃ）のように行われ、最終的に同図（ｃ）に示すように前後の位置調節態様の操作が行われる。したがって同図（ａ）及び（ｂ）のようなハンドルを大きく回転操作した状態で車両を後退させる態様から、ハンドルをほとんど回転操作することなく車両を前後させる状態に至ったとき、縦列駐車の操作は、前後の車両間隔を調整する操作段階に至ったと判断することができる。
【００６４】
ステップＳ１１において未だ縦列駐車の前後車両間隔調整を行う操作段階に至っていないと判別した時、即ち図１３（ａ）,（ｂ）のようにハンドルを大きく回転操作している状態で後退を行っている時には、ステップＳ１に戻ってその後退を継続し、前記作動を繰り返す。また、ステップＳ１１で前後車両間隔を調整する段階に至ったと判別した時には、その段階でも車両の後方に縦列駐車中の他車が存在しないと判別した際は、実際に車両の後方には縦列駐車に際して車間距離を調節する車両が存在しないものとし、以降はステップＳ９に進んで、図３に示すようなフロントカメラ撮影画像による前方障害物との間隔確保処理を行う。
【００６５】
ステップＳ３で車両後方に縦列駐車中の他車が存在すると判別した時、即ちリアカメラ撮影画像中に車両が存在することを検出した時には、後方車両の車種を認識する（ステップＳ４）。この車種の認識に際しては、例えば前記図１２に示す手法によって認識することができる。次いで、リアカメラ撮影画像中に後方車両の車種に対応した縦列駐車後方案内マークを表示する（ステップＳ５）。
【００６６】
この作動に際しては、図１の後方撮影画像内縦列駐車後方案内マーク表示処理部２５における、車種別縦列駐車後方案内マーク表示部２７において、後方車両車種認識部２２で認識した車種に対応して、車種別データ記憶部２６に記録している最小回転半径の車種別平均値等の車両データを読み込み、図８に示すような適宜の余裕車間距離Ｓ３を考慮して、縦列駐車後方案内マークを例えば図９（ａ）〜（ｃ）に示すように、モニタ内に表示する事により行う。
【００６７】
その後、後方車両は縦列駐車後方案内マークと重なっているか否かを判別し（ステップＳ６）、例えば図９（ａ）のように未だ縦列駐車後方案内マークＭＢと後方車両２の画像とは重なっていない時には、更に車両を後退する（ステップＳ１２）。この作動を繰り返すことにより、或いは最初から後方車両は縦列駐車後方案内マークと重なっていると判別した時と共にステップＳ７に進み、重なった量は所定以上か否かを判別する。
【００６８】
ここでは例えば図９（ｃ）に示すように、後方車両の画像における下端位置が縦列駐車後方案内マークＭＢと重なり、更に後方車両が自車両に接近している量、即ち後方車両が縦列駐車後方案内マークＭＢよりも内側に進入した進入量ＴＢが所定量以上であると運転者が判断した時には、車両を前進させ（ステップＳ１３）、例えば図９（ｂ）のように、縦列駐車後方案内マークと適切に重なる位置とする。その過程でも前進し過ぎて再び同図（ａ）のような状態になることを考慮し、ステップＳ６に戻って前記作動を繰り返す。
【００６９】
前記の例においては図９に示すように縦列駐車後方案内マークＭＢを表示している状態で、運転者がそのマークと後方の車両との位置関係を確認しながら車両を前後移動させる例を示したが、図１に示すような後方車両が縦列駐車後方案内マーク内に進入したことを検出する、後方車両縦列駐車後方案内マーク内進入検出処理部２９を備える時には、図９（ｃ）のような進入量ＴＢを計測し、その量が所定以上であることを検出した時に後方車両近接警告部３２からモニタへの表示或いは音声等で警告を出力するようにしても良い。
【００７０】
ステップＳ７で重なった量は所定以上ではないと判別した時には、その重なりは適切な量であると判断し、次いで後方車両のナンバーを認識して記憶する（ステップＳ８）。その後図２の例では、図３に示すようなフロントカメラ撮影画像による前方障害物との間隔確保処理を行い、後述する図３のステップＳ２６で前方車両のナンバーを記憶した状態で、最終的に車両の電源をオフし（ステップＳ１０）、前記一連の処理を終了する。
【００７１】
なお、図２に示す例においては最初にリアカメラの撮影画像により後方車両との適切な間隔を確保する処理を行い、その後ステップＳ９でフロントカメラの撮影画像により前方の障害物との間隔確保処理を行う例を示したが、先にフロントカメラの撮影画像により前方の障害物との間隔確保処理を行う態様で本発明を実施することができる。
【００７２】
図２のステップＳ９におけるフロントカメラ撮影画像による前方障害物との間隔確保処理は図３に示すように、最初フロントカメラを作動し（ステップＳ２１）、次いでフロントカメラ撮影画像中に縦列駐車前方案内マークを表示する（ステップＳ２２）。この縦列駐車前方案内マークの表示に際しては、図１の縦列駐車前方案内マーク表示部１２で、自車両の最小回転半径のデータ等の車両データを用いて得られている位置に、図１０（ａ）〜（ｃ）のように表示する。
【００７３】
次いで前方障害物画像は縦列駐車前方案内マークと重なっているか否かを判別する（ステップＳ２３）。ここで例えば図１０（ａ）のように前方車両２が縦列駐車前方案内マークＭＦと重なっていないと判別した時に運転者は車両を前進させ（ステップＳ２７）、再びステップＳ２３に戻って前記作動を繰り返す。その過程で図１０（ｂ）、或いは同図（ｃ）のように前方車両の画像、或いは各種障害物の画像が縦列駐車前方案内マークＭＦと重なる。
【００７４】
その時にはステップＳ２３で前方障害物画像は縦列駐車前方案内マークと重なっていると判別し、次いでその重なった量は所定以上か否かを判別する（ステップＳ２４）。この判別は、運転者が例えば図１０（ｂ）または（ｃ）のような画面を見て、同図（ｃ）のように重なった量ＴＦは所定以上であると判断すると、運転者は車両を後退し（ステップＳ２８）、その時の後退のし過ぎ考慮して再びステップＳ２３に戻り、前記作動を繰り返す。
【００７５】
その後図１０（ｂ）のように重なった量が所定以上ではなく、所定以内であると判断した時、車両前方の障害物は縦列駐車中の他車か否かを判別する（ステップＳ２５）。即ち、フロントカメラで監視するべきものは、縦列駐車からその後出発する時、前方の障害物によってスムーズな発車を行うことができないことを防止するためであり、したがって前方障害物は車両以外の縁石や塀等の物体である場合があるので、ここでは車両前方の障害物は縦列駐車中の他車か否かを判別し、車両である時には前方車両のナンバーを認識して記憶する（ステップＳ２６）。図１０の例においては、同図（ｅ）に示すように、ナンバーが「ＤＥＦ」であると認識し、これを記憶する。
【００７６】
その後前記ステップＳ２５で、車両前方の障害物は車両ではなく、例えば縁石や塀等であると判別した時と共にステップＳ２９に進み、図２のステップＳ１０において車両の電源をオフし、一連の縦列駐車案内処理を終了する。
【００７７】
上記のような一連の縦列駐車案内を行って縦列駐車を行った後において、その後この縦列駐車の状態から発車する時には、例えば図４に示す作動フローにより、前記図２及び図３の処理において記憶した後方車両及び前方車両のナンバーを記憶している時、このデータを利用して発車時の確認処理を行う。そのための処理を行う図４に示す縦列駐車中車両の発車時確認処理の第１の態様においては、最初に発車のために車両の電源をオンし（ステップＳ４１）、次いで図示の例では縦列駐車案内確認出力要求を行っている（ステップＳ４２）。
【００７８】
即ち、図示の例においてはステップＳ４２で運転者が確認出力要求を行うことによって以降の処理を行うものとしているが、このような出力要求を運転者が行わない時でも前記一連の縦列駐車案内処理を行った時には、或いはその案内処理に際して前記のように車両のナンバーを記憶した時には、自動的に以降の確認処理を行うようにしても良い。
【００７９】
その後縦列駐車時の前方及び後方の車両のナンバーを読み込んで出力する。図４に示す例においては、次いで縦列駐車時と現在と出前方或いは後方の車両が異なっているかの確認処理を行う。この時の確認処理は、例えば前記ステップＳ４３において、モニタに表示された縦列駐車時の前方及び後方の車両のナンバーを運転者が見て、現在の前方及び後方の車両のナンバーとが一致するか否かを確認し、そのナンバーが異なっている時には発車時の運転に充分注意して運転することによってステップＳ４４の処理を行うことができる。
【００８０】
また、そのような確認処理を運転者のみに任せるのではなく、自動的に確認を行う時には、例えば図５に示すような、縦列駐車時と現在とで前方或いは後方の車両が異なっているかの自動確認処理を行っても良い。図５に示す前記自動確認処理においては、最初リアカメラ及びフロントカメラを作動し（ステップＳ５１）、次いで現在の後方及び前方の車両のナンバーを認識する（ステップＳ５２）。
【００８１】
その後前記図４のステップＳ４３で読込出力した縦列駐車時の車両ナンバーと、現在の車両ナンバーとでは、そのナンバーが異なるか否かを判別する（ステップＳ５３）。ここでいずれかの車両のナンバーが異なっていると判別した時には、縦列駐車時と現在とでは前方或いは後方の車両が異なっている旨の警告出力を行い（ステップＳ５４）、次いで前記ステップＳ５３で縦列駐車時と現在とでは車両のナンバーが同じであると判別した時と共にステップＳ５５に進んで、この一連の処理を終了する。この処理によって、図２及び図３に示す一連の縦列駐車案内処理を行った後にここから発車する時には、運転者に依存することなく、自動的に確認を行うことができる。  
【００８２】
縦列駐車中の車両がその場から出発しようとする時、特に前方に存在する障害物を考慮して発車する際の確認処理は、前記のようなナンバーによる確認以外に、フロントカメラの撮影画像と、図１０（ａ）〜（ｃ）に示すような縦列駐車前方案内マークＭＦの表示を利用して、例えば図６に示す確認処理を行うことによっても実施することができる。
【００８３】
即ち、図６に示す縦列駐車中車両の発車時確認処理の第２の態様においては、最初車両の電源をオンした後（ステップＳ６１）、図６に示す例においては前記図４のステップＳ４２と同様に、運転者が縦列駐車案内確認出力要求を行ったとき（ステップＳ６２）、フロントカメラを作動する（ステップＳ６３）。次いでフロントカメラの撮影画像を認識処理して、前方に障害物が存在するか否かを判別する（ステップＳ６４）。
【００８４】
ステップＳ６４において前方に障害物が存在すると判別した時には、前方の障害物は縦列駐車前方案内マークと所定以上重なっているか否かを判別する（ステップＳ６５）。ここで、例えば図１０（ｃ）のように、前方の車両等の障害物と、自車両が安全にこの駐車領域から脱出することができる間隔を示す縦列駐車前方案内マークＭＦとが所定量以上重なっていることを検出したときには、このまま発車すると障害物と接触して危険である旨の警告を出力する。この警告はモニタへの表示以外に、必要に応じて音声或いはビープ音等で出力する。
【００８５】
この警告出力により運転者は前方障害物が縦列駐車前方案内マークに所定量以上重ならなくなる迄車両を後退させ（ステップＳ６７）、その後前記ステップＳ６５において前方に障害物が存在しないと判別した時、及びステップＳ６５で前方の障害物は縦列駐車前方案内マークと所定以上重なっていないと判別した時と共に、ステップＳ６８に進んでこの一連の確認処理を終了する。
【００８６】
本発明は前記のように図２及び図３に示すような態様によって縦列駐車の案内を行い、図４〜図６に示すような態様によってその後の縦列駐車位置からの発車時の処理を行うことにより、本発明を実施することができるが、これらは本発明の一部の態様を示しているに過ぎず、更に前記と同様の趣旨によって各種の態様で実施することができることは言うまでもない。
【符号の説明】
【００８７】
１  自車両
２  前方車両
３  後方車両
４  フロントカメラ
５  リアカメラ
６  前方障害物検出部
７  前方車両ナンバー認識部
８  前方車両ナンバー記憶部
１０  前方撮影画像内縦列駐車前方案内マーク表示処理部
１１  自車両データ記憶部
１２  縦列駐車前方案内マーク表示部
１３  縦列駐車前方案相補助マーク表示部
１４  前方障害物縦列駐車前方案内マーク内進入検出処理部
１５  前方障害物縦列駐車前方案内マーク内進入量検出部
１６  前方障害物縦列駐車前方案内補助マーク内進入検出部
１７  前方障害物近接警告部
２１  後方障害物検出部
２２  後方車両車種認識部
２３  後方車両ナンバー認識部
２４  後方車両ナンバー記憶部
２５  後方撮影画像内縦列駐車案内マーク表示処理部
２６  車種別データ記憶部
２７  車種別縦列駐車後方案内マーク表示部
２８  縦列駐車後方案内補助マーク表示部
２９  後方車両縦列駐車後方案内マーク内進入検出処理部
３０  後方車両縦列駐車後方案内マーク内進入量検出部
３１  後方車両縦列駐車後方案内補助マーク内進入検出部
３２  後方車両近接警告部
３５  縦列駐車駐中車両発車時確認処理部
３６  縦列駐車時前後車両ナンバー読込出力部
３７  縦列駐車中前後車両変更警告部
３８  縦列駐車中発車時前方障害物間隔検出部
３９  縦列駐車中発車時前方障害物近接警告部
【図１】
0005464577.tif 000002
【図２】
0005464577.tif 000003
【図３】
0005464577.tif 000004
【図４】
0005464577.tif 000005
【図５】
0005464577.tif 000006
【図６】
0005464577.tif 000007
【図７】
0005464577.tif 000008
【図８】
0005464577.tif 000009
【図９】
0005464577.tif 000010
【図１０】
0005464577.tif 000011
【図１１】
0005464577.tif 000012
【図１２】
0005464577.tif 000013
【図１３】
0005464577.tif 000014